(57)【特許請求の範囲】
【請求項１】
先打ちコンクリート層を打設形成し、前記先打ちコンクリート層の上部側に、後打ちコンクリート層を打設形成するコンクリートの打継ぎ方法において、
前記先打ちコンクリート層を打設した後に、その打継ぎ部に立体網目状体の下方の一部を埋設する方法であって、
前記立体網目状体は、化学繊維や鋼線などの金属繊維を絡ませたものから選択することを特徴とするコンクリートの打継ぎ方法。
【発明の詳細な説明】
【０００１】
【発明の属する技術分野】
この発明は、コンクリートの打継ぎ方法に関し、特に、打継ぎ部の一体性を強化するコンクリートの打継ぎ方法に関するものである。
【０００２】
【従来の技術】
コンクリート構造物を構築する際に、例えば、ダムなどのマスコンクリート構造物では、コンクリートの打設を上下方向で分割し、複数回に分けて行う場合がある。
【０００３】
このようにコンクリートを複数回に分けて打継ぎ打設する際には、先行コンクリート層の水平打継ぎ面に、骨材の一部が露出するように洗い出を行ったり、あるいは、ワイヤブラシにより表面を削るなどの方法により、打継ぎ面を粗面化させ、先行および後行コンクリート層が一体化するような対策を講じていた。
【０００４】
また、せん断力が作用した場合に、打継ぎ部で破壊するのを防ぐために、打継ぎ部にコッター（せん断キー）を設置することも行われている。
【０００５】
しかしながら、このような従来のコンクリートの打継ぎ方法には、以下に説明する技術的な課題があった。
【０００６】
【発明が解決しようとする課題】
すなわち、従来の打継ぎ方法では、まず、先行コンクリートを打設した後に、その表面を目荒らしするなどの打継ぎ処理を行い、次いで、必要に応じてせん断キーを設置するために、打継ぎに手間と時間がかかる。
【０００７】
また、特に、せん断キーを設置する際には、先行コンクリート層の表面にくぼみをつけるための治具が必要になり、その着脱に手間と時間がかかる。さらに、せん断補強として、鉄筋をくぼみに差し込むことも行われているが、いずれにしても、手間と時間がかかるという問題があった。
【０００８】
本発明は、このような従来の問題点に鑑みてなされたものであって、その目的とするところは、打継ぎ処理をなくすことにより、施工能率の向上を図ることができるコンクリートの打継ぎ方法を提供することにある。
【０００９】
【課題を解決するための手段】
上記目的を達成するために、本発明は、先打ちコンクリート層を打設形成し、前記先打ちコンクリート層の上部側に、後打ちコンクリート層を打設形成するコンクリートの打継ぎ方法において、前記先打ちコンクリート層を打設した後に、その打継ぎ部に立体網目状体の下方の一部を埋設する方法であって、前記立体網目状体は、化学繊維や鋼線などの金属繊維を絡ませたものから選択するようにした。
このように構成したコンクリートの打継ぎ方法によれば、先打ちコンクリート層の打継ぎ部に立体網目状体の下方の一部を埋設するので、先打ちコンクリート層が硬化すると、その上端面から立体網目状体の残余の部分が突出し、この状態で後打ちコンクリート層を打設形成すると、打継ぎ面を挟んで、先打ちおよび後打ちコンクリート層間に立体網目状体が介在することになる。
このため、打継ぎ部に目荒らしなどの打継ぎ処理を施すことなく、また、打継ぎ部にせん断キーを設置するなく、打継ぎ部の一体性を確保することができる。
【００１０】
【発明の実施の形態】
以下、本発明の好適な実施の形態について、添付図面に基づいて詳細に説明する。図１〜図４は、本発明にかかるコンクリートの打継ぎ方法の一実施例を示している。
【００１１】
同図に示したコンクリートの打継ぎ方法では、従来の打継ぎ方法と同様に、先打ちコンクリート層１０を打設形成し、この先打ちコンクリート層１０が硬化した後に、後打ちコンクリート層１２を先打ちコンクリート層１０の上部側に打設形成することは、同じであるが、本実施例の打継ぎ方法には、以下に説明する点に顕著な特徴がある。
【００１２】
すなわち、本実施例では、図１に示すように、先打ちコンクリート層１０を打設形成する際に、打設されたコンクリートが完全に硬化する前、例えば、打設されたコンクリートに流動性がある間にに、打設コンクリートの表面に、立体網目状体１４を敷き詰める。
【００１３】
立体網目状体１４を未硬化状態のコンクリート上に敷き詰めた場合、コンクリート中には、粗および細骨材１６が混入されているので、敷き詰められた立体網目状体１４は、図２に示すように、網目状体１４の下端側が骨材１６に当接することにより、その厚み方向の全体がコンクリート中に埋没することはなく、立体網目状体１４自体の自重とコンクリートの両者がバランスした状態で表面近傍に留まり、立体網目状体１４は、下方の一部だけが先行コンクリート中に埋設される。
【００１４】
この結果、図３に示すように、ブリーディング水が発生した後に、先打ちコンクリート層１０が硬化すると、その上端面から立体網目状体１４の残余の部分が、打継ぎ面１８から上方に突出した状態になる。
【００１５】
この場合の立体網目状体１４の突出量は、その厚みのほぼ半分程度が上方に突出するようにすることが望ましい。なお、立体網目状体１４の下方の一部を先打ちコンクリート層１０に埋設させる方法は、上記した敷設方法に限ることはなく、例えば、先打ちコンクリート層１０の上端面が、ある程度硬化していても、網目状体１４を食い込ませる程度の硬さであれば、網目状体１４を食い込ませる方法によって埋設してもよい。
【００１６】
次いで、この状態で、図４に示すように、後打ちコンクリート層１２を打設形成すると、打継ぎ面１８を挟んで、先打ちおよび後打ちコンクリート層１０，１２間に立体網目状体１４が介在することになる。
【００１７】
このため、打継ぎ部に目荒らしなどの打継ぎ処理を施すことなく、また、打継ぎ部にせん断キーを設置するなく、打継ぎ部の一体性を、立体網目状体１４を介装することにより、確保することができる。
【００１８】
本実施例の立体網目状体１４は、化学織維や鋼線などの金属繊維を絡ませたものから選択することができる。化学繊維を絡ませた立体網目状体１４は、例えば、土木用の集排水材として用いられている比較的太い合成樹脂繊維をランダムに絡ませた構造のヘチマロン（商品名、新光ナイロン株式会社製）を用いることができる。
【００１９】
また、金属繊維を絡ませた立体網目状体１４は、例えば、旋盤などの金属の切削加工で発生する螺旋状の削りカスを、絡み合わせて使用することや、あるいは、金属ワイヤをランダムに絡ませたものなども使用することができる。
【００２０】
【発明の効果】
以上、実施例で詳細に説明したように、本発明にかかるコンクリートの打継ぎ方法によれば、せん断強度を確保するための打継ぎ処理やせん断キーの設置が不要になり、施工能率が大幅に向上する。
【図面の簡単な説明】
【図１】本発明にかかるコンクリートの打継ぎ方法の一実施例を示す施工初期の断面説明図である。
【図２】図１の工程に引き続いて行われる工程の断面説明図である。
【図３】図２の工程に引き続いて行われる工程の断面説明図である。
【図４】図３の工程に引き続いて行われる工程の断面説明図である。
【符号の説明】
１０        先打ちコンクリート層
１２        後打ちコンクリート層
１４        立体網目状体
１６        骨材
１８        打継ぎ面
【図１】
0003674398.tif 000002
【図２】
0003674398.tif 000003
【図３】
0003674398.tif 000004
【図４】
0003674398.tif 000005